(57)【要約】【課題】生産性を向上することができる内燃機関用の点火コイルを提供すること。【解決手段】内燃機関用の点火コイル１は、一次コイル及び二次コイル１２とコネクタ２と接続部材４とコイル端子体３とを有する。コイル端子体３は、横方向Ｙに沿って形成されている。コイル端子体３は、横方向Ｙの複数箇所において、接続部材４が接続可能に構成されている。複数のイグナイタ端子５２は、互いに同電位となる二以上のイグナイタ端子からなる同電位端子群５２、５３を、有する。同電位端子群５２、５３には、長尺端子５３が設けられている。長尺端子５３は、接地端子２１１、信号端子２３１、電源端子２２１、又は中継端子２４１に接続されている。同じ同電位端子群を構成するイグナイタ端子５２同士は、横方向Ｙにおいて、当該同電位端子群に属さないイグナイタ端子５２を介して並んでいる。【選択図】図２
2018006641.tif 000002
【特許請求の範囲】
【請求項１】
互いに磁気的に結合された一次コイル（１１）及び二次コイル（１２）と、
絶縁性を有するコネクタハウジング（２０）と、該コネクタハウジングにおける上記一次コイル及び上記二次コイルが配された側に配されるとともに並列に設けられる接地端子（２１１）及び電源端子（２２１）と、を有するコネクタ（２）と、
上記接地端子又は上記電源端子に接続された接続部材（４）と、
該接続部材と上記二次コイルとを接続するコイル端子体（３）と、を有し、
該コイル端子体は、上記接地端子（２１１）と上記電源端子とが並ぶ方向である横方向（Ｙ）に沿って形成されており、かつ、上記接地端子及び上記電源端子と対向する、上記横方向の複数箇所において、上記接続部材が接続可能に構成されている内燃機関用の点火コイル（１）。
【請求項２】
上記接続部材は、ダイオードである、請求項１に記載の内燃機関用の点火コイル。
【請求項３】
上記接続部材は、上記接地端子又は上記電源端子に接続されるコネクタ側端部（４１）と、上記コイル端子体に接続される端子体側端部（４２）とを有し、上記コイル端子体は、主面が上記接地端子及び上記電源端子の双方と対向するような板状に形成されており、かつ、上記接地端子及び上記電源端子と対向する、上記横方向の複数箇所に、上記接続部材の上記端子体側端部が嵌合可能な端子体側凹部（３１、３２）が形成されている、請求項１又は２に記載の内燃機関用の点火コイル。
【請求項４】
上記接続部材の上記端子体側端部は、上記端子体側凹部に圧入されている、請求項３に記載の内燃機関用の点火コイル。
【請求項５】
上記接地端子及び上記電源端子には、上記接続部材の上記コネクタ側端部が嵌合可能なコネクタ側凹部（２ａ）が形成されており、上記端子体側凹部及び上記コネクタ側凹部は、いずれも、上記横方向と、上記接地端子及び上記電源端子と上記コイル端子体とが対向する方向である前後方向（Ｘ）と、の双方に直交する方向である上下方向（Ｚ）における同じ側に開口するよう形成されており、上記接続部材は、上記端子体側端部において上記端子体側凹部に圧入されているとともに、上記コネクタ側端部において上記コネクタ側凹部に圧入されている、請求項４に記載の内燃機関用の点火コイル。
【請求項６】
上記コイル端子体は、上記端子体側凹部の開口側と上記上下方向における反対側である下側の端縁（３ａ）が、他の部位よりも下側に突出した突出部（３４）を、上記端子体側凹部の下側に有する、請求項５に記載の内燃機関用の点火コイル。
【請求項７】
互いに磁気的に結合された一次コイル（１１）及び二次コイル（１２）と、
上記一次コイルへの通電及びその遮断を行うイグナイタ（５）と、
絶縁性を有するコネクタハウジング（２０）と、該コネクタハウジングにおける上記一次コイル及び上記二次コイルが配された側に配されるとともに並列に設けられる接地端子（２１１）、信号端子（２３１）、電源端子（２２１）、及び中継端子（２４１）とを有するコネクタと、を有し、
上記イグナイタは、イグナイタ本体部（５１）と、該イグナイタ本体部から突出した複数のイグナイタ端子（５２）とを有し、
該複数のイグナイタ端子は、互いに同電位となる二以上の上記イグナイタ端子からなる同電位端子群（５０１、５０２、５０３）を、少なくとも一つ有し、
該同電位端子群には、同じ同電位端子群を構成する他の上記イグナイタ端子よりも、突出長さの長い長尺端子（５３）が設けられており、
該長尺端子は、上記接地端子、上記信号端子、上記電源端子、又は上記中継端子に接続されており、
同じ上記同電位端子群を構成する上記イグナイタ端子同士は、上記接地端子と上記信号端子と上記電源端子と上記中継端子とが並ぶ方向である横方向（Ｙ）において、当該同電位端子群に属さない上記イグナイタ端子を介して並んでいる、内燃機関用の点火コイル（１）。
【請求項８】
上記同電位端子群を複数有する、請求項７に記載の内燃機関用の点火コイル。
【請求項９】
複数の上記同電位端子群は、上記信号端子と同電位となる複数のイグナイタ端子を有する第一の同電位端子群（５０１）と、上記中継端子と同電位となる複数のイグナイタ端子を有する第二の同電位端子群（５０２）と、上記電源端子と同電位となる複数のイグナイタ端子を有する第三の同電位端子群（５０３）と、を備え、上記第一の同電位端子群に属する二つの上記イグナイタ端子同士、上記第二の同電位端子群に属する二つの上記イグナイタ端子同士、及び、上記第三の同電位端子群に属する二つの上記イグナイタ端子同士は、それぞれ上記横方向において対称配置されている、請求項８に記載の内燃機関用の点火コイル。
【請求項１０】
上記長尺端子は、上記横方向に屈曲している、請求項７〜９のいずれか一項に記載の内燃機関用の点火コイル。
【請求項１１】
上記接地端子又は上記電源端子に接続された接続部材（４）と、
該接続部材と上記二次コイルとを接続するコイル端子体（３）と、を更に有し、
該コイル端子体は、上記横方向に沿って形成されており、かつ、上記接地端子及び上記電源端子と対向する、上記横方向の複数箇所において、上記接続部材が接続可能に構成されている、請求項７〜１０のいずれか一項に記載の内燃機関用の点火コイル。
【請求項１２】
上記接続部材は、ダイオードである、請求項１１に記載の内燃機関用の点火コイル。
【請求項１３】
上記接続部材は、上記接地端子又は上記電源端子に接続されるコネクタ側端部（４１）と、上記コイル端子体に接続される端子体側端部（４２）とを有し、上記コイル端子体は、主面が上記接地端子及び上記電源端子の双方と対向するような板状に形成されており、かつ、上記接地端子及び上記電源端子と対向する、上記横方向の複数箇所に、上記接続部材の上記端子体側端部が嵌合可能な端子体側凹部（３１、３２）が形成されている、請求項１１又は１２に記載の内燃機関用の点火コイル。
【請求項１４】
上記接続部材の上記端子体側端部は、上記端子体側凹部に圧入されている、請求項１３に記載の内燃機関用の点火コイル。
【請求項１５】
上記接地端子又は上記電源端子には、上記接続部材の上記コネクタ側端部が嵌合可能なコネクタ側凹部（２ａ）が形成されており、上記端子体側凹部及び上記コネクタ側凹部は、いずれも、上記横方向と、上記接地端子及び上記電源端子と上記コイル端子体とが対向する方向である前後方向（Ｘ）と、の双方に直交する方向である上下方向（Ｚ）における同じ側に開口するよう形成されており、上記接続部材は、上記端子体側端部において上記端子体側凹部に圧入されているとともに、上記コネクタ側端部において上記コネクタ側凹部に圧入されている、請求項１４に記載の内燃機関用の点火コイル。
【請求項１６】
上記コイル端子体は、上記端子体側凹部の開口側と上記上下方向における反対側である下側の端縁（３ａ）が、他の部位よりも下側に突出した突出部（３４）を、上記端子体側凹部の下側に有する、請求項１５に記載の内燃機関用の点火コイル。
【発明の詳細な説明】
【技術分野】
【０００１】
本発明は、内燃機関用の点火コイルに関する。
【背景技術】
【０００２】
内燃機関用の点火コイルとして、例えば特許文献１には、互いに磁気結合された一次コイル及び二次コイルと、これらを内部に収容するケースと、コネクタとを有するものが開示されている。特許文献１に開示されているように、コネクタは、ハウジングと、該ハウジングから上記ケース内側へ突出した接地端子、電源端子、信号端子等の端子とを有する。
【０００３】
また、接地端子又は電源端子と二次コイルとの間には、ダイオードが接続されている。ダイオードは、一次コイルへの通電時に、二次コイルに発生する電圧を抑制する。また、接地端子、電源端子、信号端子のそれぞれには、イグナイタの端子が接続されている。イグナイタは、一次コイルのスイッチング動作を制御する。なお、特許文献１に記載の点火コイルにおいて、コネクタの端子は、信号端子、接地端子、電源端子の順に並んでいる。
【先行技術文献】
【特許文献】
【０００４】
【特許文献１】特開２０１１−７１２４６号公報
【発明の概要】
【発明が解決しようとする課題】
【０００５】
しかしながら、当該コネクタに接続される相手方コネクタの端子の配列が変わると、これに接続されるコネクタの端子の配列も変わることとなる。コネクタの端子の配列が変更されると、例えば、コネクタの端子に接続されるイグナイタの端子の配列を変更したり、コネクタの端子に接続されるダイオードの端子の形状を工夫したりする必要がある。そのため、例えば、コネクタの端子に接続される部品として、予め、コネクタの端子に接続可能な、コネクタと一対一対応の部品を準備する必要がある。そのため、点火コイルの生産性を向上し難い。
【０００６】
本発明は、かかる課題に鑑みてなされたものであり、生産性を向上することができる内燃機関用の点火コイルを提供しようとするものである。
【課題を解決するための手段】
【０００７】
本発明の第一の態様は、互いに磁気的に結合された一次コイル（１１）及び二次コイル（１２）と、
絶縁性を有するコネクタハウジング（２０）と、該コネクタハウジングにおける上記一次コイル及び上記二次コイルが配された側に配されるとともに並列に設けられる接地端子（２１１）及び電源端子（２２１）と、を有するコネクタ（２）と、
上記接地端子又は上記電源端子に接続された接続部材（４）と、
該接続部材と上記二次コイルとを接続するコイル端子体（３）と、を有し、
該コイル端子体は、上記接地端子（２１１）と上記電源端子とが並ぶ方向である横方向（Ｙ）に沿って形成されており、かつ、上記接地端子及び上記電源端子と対向する、上記横方向の複数箇所において、上記接続部材が接続可能に構成されている内燃機関用の点火コイル（１）にある。
【０００８】
本発明の第二の態様は、互いに磁気的に結合された一次コイル（１１）及び二次コイル（１２）と、
上記一次コイルへの通電及びその遮断を行うイグナイタ（５）と、
絶縁性を有するコネクタハウジング（２０）と、該コネクタハウジングにおける上記一次コイル及び上記二次コイルが配された側に配されるとともに並列に設けられる接地端子（２１１）、信号端子（２３１）、電源端子（２２１）、及び中継端子（２４１）とを有するコネクタと、を有し、
上記イグナイタは、イグナイタ本体部（５１）と、該イグナイタ本体部から突出した複数のイグナイタ端子（５２）とを有し、
該複数のイグナイタ端子は、互いに同電位となる二以上の上記イグナイタ端子からなる同電位端子群（５０１、５０２、５０３）を、少なくとも一つ有し、
該同電位端子群には、同じ同電位端子群を構成する他の上記イグナイタ端子よりも、突出長さの長い長尺端子（５３）が設けられており、
該長尺端子は、上記接地端子、上記信号端子、上記電源端子、又は上記中継端子に接続されており、
同じ上記同電位端子群を構成する上記イグナイタ端子同士は、上記接地端子と上記信号端子と上記電源端子と上記中継端子とが並ぶ方向である横方向（Ｙ）において、当該同電位端子群に属さない上記イグナイタ端子を介して並んでいる、内燃機関用の点火コイル（１）にある。
【発明の効果】
【０００９】
上記第一の態様の内燃機関用の点火コイルにおいて、コイル端子体は、接地端子及び電源端子と対向する、横方向の複数箇所において、接続部材が接続可能に構成されている。それゆえ、コイル端子体における接続部材が接続される箇所を適宜選択することにより、接続部材を、接地端子又は電源端子、及び、コイル端子体に容易に接続することができる。それゆえ、点火コイルの生産性の向上を図りやすい。
【００１０】
また、上記第二の態様の内燃機関用の点火コイルにおいて、複数のイグナイタ端子は、少なくとも一つの同電位端子群を有する。そして、同電位端子群には、長尺端子が設けられている。さらに、長尺端子が、接地端子、信号端子、電源端子、又は中継端子に接続されている。そして、同じ同電位端子群を構成するイグナイタ端子同士は、横方向において、当該同電位端子群に属さないイグナイタ端子を介して並んでいる。すなわち、同じ同電位端子群を構成するイグナイタ端子同士は、互いに隣り合わないように配されている。それゆえ、後述するように、コネクタに接続されるイグナイタ端子の配列を、適宜変更することができる。そのため、予め種々のイグナイタ端子の配列を有する複数のイグナイタを準備する必要がない。
【００１１】
以上のごとく、上記各態様によれば、生産性を向上することができる内燃機関用の点火コイルを提供することができる。
なお、特許請求の範囲及び課題を解決する手段に記載した括弧内の符号は、後述する実施形態に記載の具体的手段との対応関係を示すものであり、本発明の技術的範囲を限定するものではない。
【図面の簡単な説明】
【００１２】
【図１】実施形態１における、内燃機関用の点火コイルの断面図。
【図２】実施形態１における、内燃機関用の点火コイルのコネクタ及びケース内部の収容部品の斜視図。
【図３】実施形態１における、コネクタを筒状突出部の突出側から見た概念図。
【図４】実施形態１における、コネクタ側凹部が形成された接地端子又は電源端子の斜視図。
【図５】実施形態１における、コイル端子体を前方から見た図。
【図６】実施形態１における、イグナイタを前方から見た図。
【図７】実施形態１における、イグナイタ本体部の内部構造を示す概念図。
【図８】実施形態１における、集積回路の内部構造を示す概念図。
【図９】図８の、IX−IX線矢視断面図。
【図１０】実施形態１における、相手方コネクタ及びコネクタの斜視図。
【図１１】実施形態１における、内燃機関用の点火コイルの回路図。
【図１２】実施形態１における、点火コイルの差動を示すタイムチャート図。
【図１３】実施形態１における、コネクタハウジングを透視したコネクタの斜視図。
【図１４】実施形態１における、二次スプール単体を上方から見た図。
【図１５】実施形態１における、二次スプールとコイル端子体との分解斜視図。
【図１６】実施形態１における、コイル端子体を二次スプールに組み付けた状態の斜視図。
【図１７】実施形態１における、イグナイタ端子を切断、屈曲する前の状態のイグナイタを前方から見た図。
【図１８】実施形態１における、長尺端子のイグナイタ端子を切断した後であって、長尺端子を屈曲する前の状態のイグナイタを前方から見た図。
【図１９】実施形態２における、相手方コネクタ及びコネクタの斜視図。
【図２０】実施形態２における、内燃機関用の点火コイルのコネクタ及びケース内部の収容部品の斜視図。
【図２１】実施形態２における、コネクタを筒状突出部の突出側から見た概念図。
【図２２】実施形態２における、イグナイタを前方から見た図。
【図２３】実施形態３における、コネクタのロック部の形成位置に工夫をしなかった場合の相手方コネクタ及びコネクタを示す斜視図。
【図２４】実施形態３における、内燃機関用の点火コイルのコネクタ及びケース内部の収容部品の斜視図。
【図２５】実施形態３における、コネクタを筒状突出部の突出側から見た概念図。
【図２６】実施形態３における、相手方コネクタ及びコネクタの斜視図。
【図２７】実施形態４における、相手方コネクタ及びコネクタの斜視図。
【図２８】実施形態４における、コネクタを筒状突出部の突出側から見た概念図。
【図２９】実施形態４における、イグナイタを前方から見た図。
【図３０】実施形態１の変形形態における、内燃機関用の点火コイルのコネクタ及びケース内部の収容部品の斜視図。
【図３１】実施形態１の変形形態における、内燃機関用の点火コイルの回路図。
【発明を実施するための形態】
【００１３】
（実施形態１）
内燃機関用の点火コイルの実施形態につき、図１〜図１８を用いて説明する。
本実施形態の内燃機関用の点火コイル１は、図１に示すごとく、一次コイル１１及び二次コイル１２と、コネクタ２と、接続部材としてのダイオード４と、コイル端子体３と、を有する。一次コイル１１及び二次コイル１２は、互いに磁気的に結合されている。
【００１４】
図２に示すごとく、コネクタ２は、絶縁性を有するコネクタハウジング２０と、コネクタハウジング２０における一次コイル１１及び二次コイル１２が配された側に配されるとともに並列に設けられる接地端子２１１及び電源端子２２１と、を有する。ダイオード４は、接地端子２１１に接続されている。
【００１５】
コイル端子体３は、ダイオード４と二次コイル１２とを接続する。コイル端子体３は、接地端子２１１と電源端子２２１とが並ぶ方向である横方向Ｙに沿って形成されている。さらに、コイル端子体３は、横方向Ｙの複数箇所において、ダイオード４が接続可能に構成されている。すなわち、コイル端子体３は、接地端子２１１及び電源端子２２１と対向する、横方向Ｙの複数箇所において、ダイオード４が接続可能な、後述する端子体側凹部３１、３２を設けている。そして、これら端子体側凹部３１、３２のいずれにおいても、ダイオード４を接続することができるよう構成されている。
【００１６】
点火コイル１は、図１１に示すごとく、自動車、コージェネレーション等の内燃機関に設置されるスパークプラグ１００に接続され、スパークプラグ１００に高電圧を印加する手段として用いられる。
【００１７】
本明細書において、便宜上、接地端子２１１及び電源端子２２１とコイル端子体３とが対向する方向を前後方向Ｘという。また、前後方向Ｘにおける接地端子２１１及び電源端子２２１が配された側を後方、その他方を前方という。また、横方向Ｙの一方側をＹ１側、他方側をＹ２側という。また、前後方向Ｘと横方向Ｙとの双方に直交する方向を、上下方向Ｚという。そして、上下方向Ｚの一方を上方、その他方を下方という。
【００１８】
図１に示すごとく、点火コイル１は、一次コイル１１、二次コイル１２等の点火コイル１の構成部品を内部に収容するケース６を有する。ケース６は、上方に開口面を有する。
【００１９】
一次コイル１１及び二次コイル１２は、巻回軸方向を前後方向Ｘとしている。一次コイル１１は内周側、二次コイル１２は外周側に配されている。一次コイル１１は図示しない一次スプールに巻回されており、二次コイル１２は一次スプールの外周側に配された二次スプール１３に巻回されている。一次スプール及び二次スプール１３は、いずれも樹脂製である。
【００２０】
ケース６の前端部には、コネクタ２が配されている。コネクタハウジング２０は、樹脂製である。コネクタハウジング２０は、ケース６の前端部に係合される係合壁部２０１と、係合壁部２０１から前方に向かって突出形成された筒状突出部２０２とを有する。図１、図２に示すごとく、筒状突出部２０２の上面には、上側に向かって突出したロック部２０３が形成されている。図１０に示すごとく、ロック部２０３は、コネクタ２を、該コネクタ２に接続される相手方コネクタ７に固定するためのものである。相手方コネクタ７は、コネクタ２に接続されて、点火コイル１と外部機器とを接続するものである。
【００２１】
また、図２、図１３に示すごとく、コネクタ２は、コネクタハウジング２０内に一部が埋設された、接地端子部材２１、信号端子部材２３、電源端子部材２２及び中継端子部材２４を有する。これらのうち、接地端子部材２１、信号端子部材２３、及び電源端子部材２２は、コネクタハウジング２０の係合壁部２０１を前後方向Ｘに貫通している。
【００２２】
接地端子部材２１は、点火コイル１の外部に接地される部材である。信号端子部材２３は、外部機器から後述するイグナイタ５へスイッチング信号を伝送する部材である。電源端子部材２２は、一次コイル１１と外部電源とを接続する部材である。また、中継端子部材２４は、一端が一次コイル１１と接続され、他端がイグナイタ５と接続される部材である。
【００２３】
図２に示すごとく、接地端子部材２１は、係合壁部２０１から前方へ突出するとともに、筒状突出部２０２の内側に配される前方接地端子２１２を有する。信号端子部材２３は、係合壁部２０１から前方へ突出するとともに、筒状突出部２０２の内側に配される前方信号端子２３２を有する。電源端子部材２２は、係合壁部２０１から前方へ突出するとともに、筒状突出部２０２の内側に配される前方電源端子２２２を有する。
【００２４】
図１０に示すごとく、コネクタ２は、前方接地端子２１２を相手方コネクタ７の相手方接地端子７１に、前方信号端子２３２を相手方コネクタ７の相手方信号端子７３に、前方電源端子２２２を相手方コネクタ７の相手方電源端子７２に挿入して、相手方コネクタ７に接続される。相手方コネクタ７がコネクタ２に接続される姿勢において、相手方コネクタ７の相手方接地端子７１、相手方信号端子７３、相手方電源端子７２は、Ｙ１側からＹ２側に向かって、この順に並んでいる。これに伴い、横方向Ｙにおける前方接地端子２１２、前方信号端子２３２、前方電源端子２２２の配列は、Ｙ１側からＹ２側に向かって、前方接地端子２１２、前方信号端子２３２、前方電源端子２２２、の順になっている。
【００２５】
図２、図１３に示すごとく、コネクタ２は、コネクタハウジング２０の後方に配されるとともに横方向Ｙに並ぶ接地端子２１１、信号端子２３１、電源端子２２１、及び中継端子２４１を有する。接地端子部材２１における、係合壁部２０１の後方に配された部位が接地端子２１１である。信号端子部材２３における、係合壁部２０１の後方に配された部位が信号端子２３１である。電源端子部材２２における、係合壁部２０１の後方に配された部位が電源端子２２１である。中継端子部材２４における、イグナイタ５に接続される側の端子が、中継端子２４１である。
【００２６】
図１、図１３に示すごとく、中継端子２４１、接地端子２１１、信号端子２３１、及び電源端子２２１は、いずれも、板状の部材をその厚み方向に折り曲げた形状を有する。図１、図２に示すごとく、中継端子２４１、接地端子２１１、信号端子２３１、及び電源端子２２１は、いずれも、係合壁部２０１と反対側の部位において、上側に向かって形成され、上下方向Ｚ及び横方向Ｙに平行に形成された平行板部２５を有する。平行板部２５は、主面が前後方向Ｘを向くよう形成されている。
【００２７】
図１３に示すごとく、接地端子２１１は、接地端子部材２１の一部から複数本に分岐しており、係合壁部２０１から後方に複数本突出している。同様に、電源端子２２１も、電源端子部材２２の一部から複数本に分岐しており、係合壁部２０１から後方に複数本突出している。
【００２８】
図４、図１３に示すごとく、接地端子２１１及び電源端子２２１には、ダイオード４の後述するコネクタ側端部４１が嵌合可能なコネクタ側凹部２ａが形成されている。複数の接地端子２１１の一部の接地端子２１１に、コネクタ側凹部２ａが形成されている。また、複数の電源端子２２１の一部の電源端子２２１に、コネクタ側凹部２ａが形成されている。図２に示すごとく、本実施形態において、コネクタ側凹部２ａが形成された接地端子２１１及び電源端子２２１は、三つ、横方向Ｙに重なる位置に形成されている。コネクタ側凹部２ａは、平行板部２５の上端から下側に向かって形成したスリットによって構成されている。コネクタ側凹部２ａは、上側に向かって開口している。コネクタ側凹部２ａの上端部には、上側に向かうにつれてスリットの幅が大きくなるようなコネクタ側拡開部２ｂが形成されている。
【００２９】
そして、図２に示すごとく、コネクタ側凹部２ａが形成された接地端子２１１に、ダイオード４が接続されている。本実施形態において、ダイオード４が接続された接地端子２１１は、コネクタ側凹部２ａが形成された、接地端子２１１及び電源端子２２１の三つの端子のうち、Ｙ１側端部に配された端子である。ダイオード４は、ダイオード素子を備えたダイオード本体部４０と、接地端子２１１に接続されるコネクタ側端部４１と、コイル端子体３に接続される端子体側端部４２とを有する。コネクタ側端部４１は、ダイオード本体部４０から前方に突出しており、端子体側端部４２は、ダイオード本体部４０から後方に突出している。コネクタ側端部４１及び端子体側端部４２は、長手方向に直交する断面形状がいずれも円形である。そして、ダイオード４は、コネクタ側端部４１において、コネクタ側凹部２ａに圧入されている。これにより、ダイオード４と接地端子２１１とは、電気的にも接続されている。
【００３０】
図２、図５に示すごとく、コイル端子体３は、主面が接地端子２１１及び電源端子２２１の双方と前後方向Ｘに対向するような板状に形成されている。コイル端子体３は、コネクタ側凹部２ａが形成された接地端子２１１の平行板部２５、及びコネクタ側凹部２ａが形成された電源端子２２１の平行板部２５に、前後方向Ｘに対向する位置に配されている。コイル端子体３は、横方向Ｙに長尺で、厚み方向を前後方向Ｘとした板状に形成されている。
【００３１】
図５に示すごとく、コイル端子体３は、横方向Ｙの複数箇所に、ダイオード４の端子体側端部４２が嵌合可能な端子体側凹部３１、３２が形成されている。本実施形態において、端子体側凹部３１、３２は、金属板の上端から下側に向かって形成したスリットによって構成されている。端子体側凹部３１、３２は、上側に向かって開口している。すなわち、端子体側凹部３１、３２及びコネクタ側凹部２ａは、いずれも、上下方向Ｚにおける同じ側に開口するよう形成されている。端子体側凹部３１、３２の上端部には、上側に向かうにつれてスリットの幅が大きくなるような端子体側拡開部３３が形成されている。
【００３２】
本実施形態において、コイル端子体３には、二つの端子体側凹部３１、３２が形成されている。図２に示すごとく、Ｙ１側に配された端子体側凹部３１は、コネクタ側凹部２ａが形成された接地端子２１１と対向する位置に形成されており、Ｙ２側に形成された端子体側凹部３２は、コネクタ側凹部２ａが形成された電源端子２２１と対向する位置に形成されている。そして、本実施形態において、ダイオード４は、Ｙ１側の端子体側凹部３１に接続されている。
【００３３】
そして、接地端子２１１と対向する端子体側凹部３１に、ダイオード４の端子体側端部４２が圧入されている。すなわち、ダイオード４は、端子体側端部４２において端子体側凹部３１に圧入されているとともに、コネクタ側端部４１においてコネクタ側凹部２ａに圧入されている。これにより、ダイオード４は、コイル端子体３及び接地端子２１１の双方に、電気的に接続されている。
【００３４】
図５に示すごとく、コイル端子体３は、下側の端縁３ａが、他の部位よりも下側に突出した突出部３４を、端子体側凹部３１、３２の下側に有する。すなわち、コイル端子体３における端子体側凹部３１、３２の下方には、コイル端子体３の下側の端縁３ａが下側に突出した一対の突出部３４が形成されている。これにより、コイル端子体３における端子体側凹部３１、３２が形成された部位の強度を確保している。
【００３５】
ダイオード４の端子体側端部４２は、コイル端子体３に接続されている。図１６に示すごとく、コイル端子体３は、二次スプール１３の上端部から前方に向かって延設された端子体保持部１３１に保持されている。
【００３６】
図１４〜図１６に示すごとく、端子体保持部１３１は、コイル端子体３の両主面に対向するよう形成された爪部１３２を有する。図１６に示すごとく、爪部１３２に、コイル端子体３が、横方向Ｙの両端部において係合されており、これによって、コイル端子体３が端子体保持部１３１に保持されている。
【００３７】
図１４、図１５に示すごとく、各爪部１３２には、上方に向かって開口した溝部１３２ａが形成されている。そして、図１６に示すごとく、一対の爪部１３２の溝部１３２ａ内に、コイル端子体３が圧入されている。これにより、コイル端子体３は、二次スプール１３に対して、前後方向Ｘに位置決めされている。図１４、図１５に示すごとく、溝部１３２ａの内壁には、コイル端子体３を溝部１３２ａに圧入できるようにするための圧入凸部１３２ｂが形成されている。圧入凸部１３２ｂは、溝部１３２ａの内壁から、前後方向Ｘに突出している。なお、溝部１３２ａの内壁における、圧入凸部１３２ｂと前後方向Ｘに対向する部位に、圧入凸部１３２ｂの突出側に向かって凹んだ圧入凹部１３２ｃが形成されている。また、コイル端子体３の下側の端縁３ａは、溝部１３２ａの底に当接している。これにより、コイル端子体３は、二次スプール１３に対して、上下方向Ｚに位置決めされている。
【００３８】
図１４〜図１６に示すごとく、端子体保持部１３１には、コイル端子体３の一対の突出部３４に対して、横方向Ｙに対向する対向部１３１ａが形成されている。対向部１３１ａに対してコイル端子体３がＹ方向に対向して配されることにより、コイル端子体３は、二次スプール１３に対して横方向Ｙに位置決めされている。これにより、二次スプール１３に対するコイル端子体３の横方向Ｙにおける位置決めが容易となる。これに伴い、互いに対向するコイル端子体３の端子体側凹部３１、３２とコネクタ側凹部２ａとの相対的な位置精度を良くすることができる。これにより、端子体側凹部３１、３２と、コネクタ側凹部２ａとの双方へのダイオード４の接続を、好適に行うことが可能となる。また、爪部１３２の溝部１３２ａ、及び対向部１３１ａによって、コイル端子体３は、二次スプール１３に対して、前後方向Ｘ、横方向Ｙ、及び上下方向Ｚの全方向に対して位置決めされている。
【００３９】
また、端子体保持部１３１は、横方向Ｙの中央部に、コイル端子体３に対して前方から対向する変形防止壁１３１ｂを有する。変形防止壁１３１ｂは、コイル端子体３の変形を抑制している。
【００４０】
コイル端子体３における横方向Ｙの一方の端部には、横方向Ｙの一方に向かって突出した接続部３５が形成されている。図示は省略したが、接続部３５に、二次コイル１２の巻線における低圧側の端部が接続されている。そして、二次コイル１２は、コイル端子体３及びダイオード４を介して、接地端子２１１と接続されている。なお、二次コイル１２とコイル端子体３とは、例えばマイクロアーク溶接によって接合することができる。
【００４１】
図１に示すごとく、ケース６内における、コネクタ２の後方であって、一次コイル１１及び二次コイル１２の前方の領域には、イグナイタ５が配されている。イグナイタ５は、一次コイル１１への通電及びその遮断を行う。図６に示すごとく、イグナイタ５は、イグナイタ本体部５１と、イグナイタ本体部５１から上側に向かって突出した複数のイグナイタ端子５２とを有する。複数のイグナイタ端子５２は、互いに同電位となる二以上のイグナイタ端子５２からなる同電位端子群を、少なくとも一つ有する。
【００４２】
本実施形態において、複数のイグナイタ端子５２は、同電位端子群を複数有する。複数の同電位端子群は、第一の同電位端子群５０１と、第二の同電位端子群５０２と、第三の同電位端子群５０３とを備える。第一の同電位端子群５０１は、信号端子２３１と同電位となる複数のイグナイタ端子５２を有する。第二の同電位端子群５０２は、中継端子２４１と同電位となる複数のイグナイタ端子５２を有する。第三の同電位端子群５０３は、電源端子２２１と同電位となる複数のイグナイタ端子５２を有する。以下において、便宜上、信号端子２３１と同電位となるイグナイタ端子５２を信号イグナイタ端子５２３という。また、中継端子２４１と同電位となるイグナイタ端子５２を中継イグナイタ端子５２４という。また、電源端子２２１と同電位となるイグナイタ端子５２を電源イグナイタ端子５２２という。また、接地端子２１１と同電位となる端子を接地イグナイタ端子５２１という。
【００４３】
図７に示すごとく、イグナイタ本体部５１内には、接地リードフレーム５１１と信号リードフレーム５１３と中継リードフレーム５１４と電源リードフレーム５１２が配されている。接地リードフレーム５１１、信号リードフレーム５１３、中継リードフレーム５１４、及び電源リードフレーム５１２は、同一平面上に形成されている。接地リードフレーム５１１は接地端子２１１と同電位となるリードフレームである。また、信号リードフレーム５１３は信号端子２３１と同電位となるリードフレームである。また、中継リードフレーム５１４は中継端子２４１と同電位となるリードフレームである。また、電源リードフレーム５１２は電源端子２２１と同電位となるリードフレームである。接地リードフレーム５１１、信号リードフレーム５１３、中継リードフレーム５１４、及び電源リードフレーム５１２は、いずれも、上端部において、イグナイタ端子５２に接続されている。なお、図７において、イグナイタ本体部５１の外形を破線で表している。
【００４４】
接地リードフレーム５１１上には、集積回路５１５が配されている。集積回路５１５は、ＩＧＢＴ５１７のスイッチング動作を制御する。接地リードフレーム５１１の上端部は、接地イグナイタ端子５２１に接続されている。なお、接地リードフレーム５１１は、集積回路５１５に対して、ワイヤ５１６を介して接続されている。
【００４５】
信号リードフレーム５１３は、イグナイタ本体部５１内において一対形成されている。一対の信号リードフレーム５１３は、いずれも、ワイヤ５１６を介して集積回路５１５に電気的に接続されており、集積回路５１５内において互いに同電位となるよう接続されている。そして、一対の信号リードフレーム５１３のそれぞれの上端部に、信号イグナイタ端子５２３が接続されている。これにより、第一の同電位端子群５０１を構成する信号イグナイタ端子５２３同士は、互いに同電位となっている。第一の同電位端子群５０１は、二本の信号イグナイタ端子５２３を有する。
【００４６】
中継リードフレーム５１４は、イグナイタ本体部５１内において、一つ形成されている。中継リードフレーム５１４は、接地リードフレーム５１１、信号リードフレーム５１３を、横方向Ｙの外側及び下側から囲むよう這い回されている。そして、中継リードフレーム５１４の一対の上端部のそれぞれに、中継イグナイタ端子５２４が接続されている。これにより、第二の同電位端子群５０２を構成する中継イグナイタ端子５２４同士は、互いに同電位となっている。第二の同電位端子群５０２は、二本の中継イグナイタ端子５２４を有する。
なお、中継リードフレーム５１４上には、ＩＧＢＴ５１７が搭載されている。ＩＧＢＴ５１７は、コレクタを中継リードフレーム５１４に接続するよう配されている。
【００４７】
電源リードフレーム５１２は、イグナイタ本体部５１内において一対形成されている。一対の電源リードフレーム５１２は、長尺電源リードフレーム５１２ａと短尺電源リードフレーム５１２ｂとを有する。長尺電源リードフレーム５１２ａは、中継リードフレーム５１４を、横方向Ｙの外側及び下側から囲むよう這い回されている。そして、長尺電源リードフレーム５１２ａの一対の上端部のそれぞれには、電源イグナイタ端子５２２が接続されている。そして、短尺電源リードフレーム５１２ｂにも、第三の同電位端子群５０３を構成するイグナイタ端子５２が接続されている。短尺電源リードフレーム５１２ｂは、ワイヤ５１６を介して長尺電源リードフレーム５１２ａに電気接続されている。これにより、第三の同電位端子群５０３を構成する電源イグナイタ端子５２２同士は、互いに同電位となっている。第三の同電位端子群５０３は、三本の電源イグナイタ端子５２２を有する。なお、短尺電源リードフレーム５１２ｂは、横方向Ｙにおいて、接地リードフレームと信号リードフレーム５１３の一つとの間に配されている。
【００４８】
図６に示すごとく、同じ同電位端子群を構成するイグナイタ端子５２同士は、横方向Ｙにおいて、当該同電位端子群に属さないイグナイタ端子５２を介して並んでいる。すなわち、複数のイグナイタ端子５２は、同じ同電位端子群を構成するイグナイタ端子５２同士が、横方向Ｙにおいて、互いに隣り合っていない。なお、後述するようにイグナイタ端子５２は横方向Ｙに屈曲されているものもあるが、ここでいう横方向Ｙにおけるイグナイタ端子５２の配列は、イグナイタ端子５２の根元の位置、すなわちイグナイタ本体部５１側の端部の位置、における配列をいう。
【００４９】
第一の同電位端子群５０１に属する二つの信号イグナイタ端子５２３同士、第二の同電位端子群５０２に属する二つの中継イグナイタ端子５２４同士、及び、第三の同電位端子群５０３に属する二つの電源イグナイタ端子５２２同士は、それぞれ横方向Ｙにおいて対称配置されている。本実施形態において、対称配置される二つのイグナイタ端子５２は、接地イグナイタ端子５２１、及び、第三の同電位端子群５０３を構成する三つの電源イグナイタ端子５２２のうちの短尺電源リードフレーム５１２ｂに接続された電源イグナイタ端子５２２、を対称中心とし、互いに横方向Ｙの反対側に位置するように配されている。
【００５０】
具体的には、第一の同電位端子群５０１に属する二つの信号イグナイタ端子５２３は、横方向Ｙにおいて、対称中心の両側に隣接する位置に配されている。そして、横方向Ｙにおける更に両側に隣接する位置に、第二の同電位端子群５０２に属する二つの中継イグナイタ端子５２４が配されている。そして、横方向Ｙにおける更に両側に隣接する位置に、第三の同電位端子群５０３に属する二つの電源イグナイタ端子５２２が配されている。これにより、第一の同電位端子群５０１に属するイグナイタ端子５２と第二の同電位端子群５０２に属するイグナイタ端子５２と第三の同電位端子群５０３に属するイグナイタ端子５２群とは、横方向Ｙの一方側から他方側のイグナイタ端子５２の配列が、対称中心の一方側と、他方側とで、互いに反対の配列になっている。
【００５１】
同電位端子群には、同じ同電位端子群を構成する他の上記イグナイタ端子５２よりも突出長さの長い長尺端子５３が設けられている。図２に示すごとく、長尺端子５３は、接地端子２１１、信号端子２３１、電源端子２２１、又は中継端子２４１に接続される。なお、図６に示すごとく、本実施形態において同電位端子群を構成しない、接地イグナイタ端子５２１は、上下方向Ｚにおいて長尺端子５３と同程度の長さに形成されている。以下において、便宜上、長尺端子５３といったときは、第一の同電位端子群５０１の長尺端子５３と、第二の同電位端子群５０２の長尺端子５３と、第三の同電位端子群５０３の長尺端子５３と、接地イグナイタ端子５２１とを含むものとする。複数のイグナイタ端子５２は、四つの長尺端子５３を有する。
【００５２】
第一の同電位端子群５０１の長尺端子５３が信号端子２３１に接続されている。第二の同電位端子群５０２の長尺端子５３が中継端子２４１に接続されている。これにより、第二の同電位端子群５０２を構成している中継イグナイタ端子５２４は、中継端子２４１を介して一次コイル１１に接続されている。第三の同電位端子群５０３の長尺端子５３が電源端子２２１に接続されている。接地イグナイタ端子５２１の長尺端子５３が接地端子２１１と接続されている。各長尺端子５３は、その先端部において、コネクタ２の中継端子２４１、接地端子２１１、信号端子２３１、又は電源端子２２１に接続されている。中継端子２４１、接地端子２１１、信号端子２３１、電源端子２２１のそれぞれと、イグナイタ端子５２とは、互いに前後方向Ｘに重ね合わせて溶接等により接続されている。なお、イグナイタ端子５２が接続される接地端子２１１及び電源端子２２１は、コネクタ側凹部２ａが形成されていない接地端子２１１及び電源端子２２１である。
【００５３】
本実施形態において、長尺端子５３に接続される中継端子２４１、接地端子２１１、信号端子２３１、電源端子２２１は、横方向ＹのＹ１側からＹ２側に向かって、この順に並んでいる。また、長尺端子５３の配列は、Ｙ１側からＹ２側に向かって、中継イグナイタ端子５２４、接地イグナイタ端子５２１、信号イグナイタ端子５２３、電源イグナイタ端子５２２、の順になっている。
【００５４】
図６に示すごとく、長尺端子５３は、横方向Ｙに屈曲している。長尺端子５３は、その先端部が、接続される接地端子２１１、信号端子２３１、電源端子２２１、又は中継端子２４１に重なる位置に配されるように屈曲されている。なお、本実施形態においては、四つの長尺端子５３のうち、接地イグナイタ端子５２１以外の長尺端子５３が屈曲している。接地イグナイタ端子５２１の長尺端子５３は、上下方向Ｚに直線状に形成されている。長尺端子５３以外のイグナイタ端子５２は、根元付近で切断されて、長尺端子５３よりも短尺に形成されている。
【００５５】
また、イグナイタ本体部５１内に配された集積回路５１５は、図９に示すごとく、基板５１５ａ、絶縁層５１５ｂ、信号導電層５１５ｃ、絶縁層５１５ｄ、接地導電層５１５ｅ、絶縁層５１５ｆを、この順に積層した構造を有する。基板５１５ａは、例えばシリコンからなる。信号導電層５１５ｃは、信号リードフレーム５１３に電気接続された導電性を有する層である。図８に示すごとく、信号導電層５１５ｃの一端は、絶縁層５１５ｆから露出した信号パッド５１５ｇに電気接続されている。図７に示すごとく、信号パッド５１５ｇは、ワイヤ５１６を介して信号リードフレーム５１３に接続されている。接地導電層５１５ｅは、接地リードフレーム５１１に電気接続された導電性を有する層である。接地導電層５１５ｅの一端は、絶縁層５１５ｆから露出した接地パッド５１５ｈに電気接続されている。接地パッド５１５ｈは、ワイヤ５１６を介して、接地リードフレーム５１１に接続されている。絶縁層５１５ｂ、５１５ｄ、５１５ｆは、電気的絶縁性を有する層である。
【００５６】
このように、集積回路５１５は、信号導電層５１５ｃと接地導電層５１５ｅとが、絶縁層５１５ｄを介して互いに積層方向の異なる位置に配されている。すなわち、集積回路５１５は、いわゆる二階建て構造を有する。これにより、図８に示すごとく、積層方向から見たとき、信号導電層５１５ｃと接地導電層５１５ｅとを、互いの間の絶縁を保ちながら交差させることができる。これにより、集積回路５１５の小型化を図ることができる。
【００５７】
また、本実施形態において、点火コイル１は、一次コイル１１への通電がオン状態からオフ状態に切り替わる際に、二次コイル１２に誘起される電圧が、点火コイル１に接続されるスパークプラグに印加されるよう構成されている。この二次電圧が二次コイル１２に誘起される際、二次コイル１２には、スパークプラグ側である高圧側から、ダイオード４側である低圧側に向かって電流が流れる。そして、ダイオード４は、上記の電流の向きと逆向きの逆電流が、二次コイル１２に生じることを防いでいる。すなわち、ダイオード４は、一次コイル１１への通電をオフ状態からオン状態に切り替えた際に二次コイル１２に逆電流が誘導されることを抑制するものである。ダイオード４は、端子体側端部４２がアノードであり、コネクタ側端部４１がカソードである。
【００５８】
次に、図１１、図１２を参照しつつ、イグナイタ５の動作について説明する。
なお、図１１において、点火コイル１を一点鎖線にて表している。また、図１１において、イグナイタ５を破線にて表している。また、図１１において、接地イグナイタ端子５２１、電源イグナイタ端子５２２、信号イグナイタ端子５２３、中継イグナイタ端子５２４を白丸にて表している。また、図１２において、点火信号ＩＧｔは、上段がオン、下段がオフを表している。
【００５９】
図１１に示すごとく、点火コイル１の外部のＥＣＵ１１１からイグナイタ５内へ点火信号ＩＧｔが入力される。点火信号ＩＧｔは、イグナイタ５の信号イグナイタ端子５２３からイグナイタ５内へ入力される。ここで、オン状態の点火信号ＩＧｔがイグナイタ５へ入力されたとき、イグナイタ５のＩＧＢＴ５１７がオンとなる。ＩＧＢＴ５１７は、コレクタｃにおいて、中継イグナイタ端子５２４を介して一次コイル１１に電気接続されており、エミッタｅにおいて、接地イグナイタ端子５２１を介して外部へ接地されている。そして、ＩＧＢＴ５１７がオン状態となると、一次コイル１１が外部に接地され、図１２に示すごとく、一次コイル１１に一次電流Ｉ1が流れる。そして、一次コイル１１への通電開始から所定時間経過後、イグナイタ５へ入力される点火信号ＩＧｔはオン状態からオフ状態のものに切り替わる。これにより、一次コイル１１の一次電流Ｉ1が遮断される。当該一次電流Ｉ1の遮断により、一次コイル１１と磁気結合された二次コイル１２に二次電圧Ｖ2が発生する。当該二次電圧Ｖ2がスパークプラグに印加され、放電が生じる。
【００６０】
また、図１１に示すごとく、イグナイタ５は、電源イグナイタ端子５２２を介して、外部電源１１２に電気接続されている。そして、イグナイタ５内に内蔵され、ＩＧＢＴ５１７のスイッチング動作を制御するドライブ回路５ａ、フィルタ回路５ｂ等の回路は、電源イグナイタ端子５２２から入力した外部電源１１２からの電圧によって動作される。なお、イグナイタ５内には、外部電源１１２の直流電圧の過電圧から、イグナイタ５内を保護する過電圧保護回路５ｃも内蔵されている。
【００６１】
次に、複数のイグナイタ端子５２の形成方法の一例について説明する。
まず、図１７に示すごとく、複数のイグナイタ端子５２のすべてが、上下方向Ｚに長尺であり、かつ、上下方向Ｚに沿った直線状となったイグナイタ５を準備する。
【００６２】
そして、第一の同電位端子群５０１、第二の同電位端子群５０２、第三の同電位端子群５０３のそれぞれから、一つずつ、長尺端子５３となるイグナイタ端子５２を選択する。このとき、接地イグナイタ端子５２１を含む長尺端子５３の配列が、本実施形態に示した上述の配列となるよう、長尺端子５３となる四つのイグナイタ端子５２を選択する。
【００６３】
次に、図１８に示すごとく、上記のように選択した四つのイグナイタ端子５２以外のイグナイタ端子５２を、根元付近で切断して短尺に形成する。これにより、切断されなかったイグナイタ端子５２が長尺端子５３となり、切断されたイグナイタ端子５２が、長尺端子５３よりも短尺に形成される。
【００６４】
次に、四つの長尺端子５３に適宜曲げ加工を行う。具体的には、選んだ四つの長尺端子５３の先端部における、互いの横方向Ｙの間隔が、これらに接続されるコネクタ２の接地端子２１１、信号端子２３１、電源端子２２１、及び中継端子２４１における互いの横方向Ｙの間隔と一致するよう、長尺端子５３の中間部位を横方向Ｙに折り曲げて調整する。これにより、四つの長尺端子５３の先端部を、接地端子２１１、信号端子２３１、電源端子２２１、又は中継端子２４１に重ね合わせることができる。そして、長尺端子５３を折り曲げた後、四つの長尺端子５３の上下方向Ｚにおける長さを揃えるように切断する。以上のように、図６に示すようなイグナイタ端子５２を形成する。
【００６５】
次に、本実施形態の作用効果につき説明する。
内燃機関用の点火コイル１において、コイル端子体３は、横方向Ｙの複数箇所において、ダイオード４が接続可能に構成されている。それゆえ、コイル端子体３におけるダイオード４が接続される箇所を適宜選択することにより、ダイオード４の形状を加工することなく、ダイオード４を、接地端子２１１及びコイル端子体３に容易に接続することができる。それゆえ、生産性の向上を図りやすい。
【００６６】
また、コイル端子体３は、横方向Ｙの複数箇所に、ダイオード４の端子体側端部４２が嵌合可能な端子体側凹部３１、３２が形成されている。それゆえ、端子体側端部４２を端子体側凹部３１、３２に嵌合させることにより、ダイオード４とコイル端子体３とを接続することができる。そのため、ダイオード４とコイル端子体３との接続を容易にしやすい。また、ダイオード４の端子体側端部４２を嵌合する端子体側凹部３１、３２を適宜選択することにより、コネクタ２の端子配列が変わっても適宜対応できる。
【００６７】
また、ダイオード４の端子体側端部４２は、端子体側凹部３１に圧入されている。それゆえ、ダイオード４をコイル端子体３に組み付ける作業が一層容易となる。
【００６８】
また、接地端子２１１には、コネクタ側凹部２ａが形成されている。そして、端子体側凹部３１、３２及びコネクタ側凹部２ａは、いずれも、上下方向Ｚにおける同じ側に開口するよう形成されている。さらに、ダイオード４は、端子体側端部４２において端子体側凹部３１に圧入されているとともに、コネクタ側端部４１においてコネクタ側凹部２ａに圧入されている。それゆえ、ダイオード４のコネクタ側端部４１と端子体側端部４２とを、それぞれ、コネクタ側凹部２ａと端子体側凹部３１とに圧入する圧入向きが同じとなる。そのため、ダイオード４を、接地端子２１１及びコイル端子体３の双方に対して、ワンタッチで取り付けることができる。それゆえ、ダイオード４を、接地端子２１１及びコイル端子体３の双方に組み付ける作業が容易となる。
【００６９】
また、複数のイグナイタ端子５２は、少なくとも一つの同電位端子群を有する。そして、同電位端子群には、長尺端子５３が設けられている。さらに、長尺端子５３が、接地端子２１１、信号端子２３１、電源端子２２１、又は中継端子２４１に接続されている。そして、同じ同電位端子群を構成するイグナイタ端子５２同士は、横方向Ｙにおいて、当該同電位端子群に属さないイグナイタ端子５２を介して並んでいる。それゆえ、コネクタ２に接続されるイグナイタ端子５２の配列を、適宜変更することができる。
【００７０】
例えば、図１７に示すごとく、同電位端子群を構成する複数のイグナイタ端子５２の長さが、互いに同程度となるイグナイタ５を準備する。そして、コネクタ２の端子の配列に応じて、同電位端子群を構成する複数のイグナイタ端子５２のうち、コネクタ２の端子に接続されるものを長尺端子５３として選択し、他のイグナイタ端子５２を根元から切断することにより、適宜、コネクタ２に接続される複数のイグナイタ端子５２の配列を変更することができる。そのため、予め種々のイグナイタ端子５２の配列を有する複数のイグナイタ５を準備する必要がない。
【００７１】
また、点火コイル１は、同電位端子群を複数有する。それゆえ、コネクタ２に接続される複数のイグナイタ端子５２の配列パターンを増やすことができる。
【００７２】
また、第一の同電位端子群５０１に属する二つの上記イグナイタ端子５２同士、第二の同電位端子群５０２に属する二つのイグナイタ端子５２同士、及び、第三の同電位端子群５０３に属する二つのイグナイタ端子５２同士は、それぞれ横方向Ｙにおいて対称配置されている。それゆえ、イグナイタ端子５２に接続されるリードフレームの這い回しが容易になる。また、本実施形態においては、中継端子２４１と同電位となるイグナイタ端子５２及び電源端子２２１と同電位となるイグナイタ端子５２が、最も外側に配されている。コネクタ２側の端子の両端には、電源端子２２１及び中継端子２４１が配されるものが多いところ、本構成を採用することにより、コネクタ２側の電源端子２２１と中継端子２４１との配列が入れ替わったコネクタ２に対しても対応しやすいイグナイタ５を提供することができる。
【００７３】
また、長尺端子５３は横方向Ｙに屈曲している。それゆえ、イグナイタ端子５２とコネクタ２の端子を接続しやすい。すなわち、イグナイタ端子５２を屈曲加工して、イグナイタ端子５２の先端部の位置を調整することにより、イグナイタ端子５２とコネクタ２の端子とを容易に接続することができる。
【００７４】
以上のごとく、本実施形態によれば、生産性を向上することができる内燃機関用の点火コイルを提供することができる。
【００７５】
（実施形態２）
本実施形態は、図１９に示すごとく、実施形態１に対して、相手方コネクタ７の端子配列が変更された実施形態である。すなわち、相手方コネクタ７がコネクタ２に接続される姿勢において、相手方コネクタ７の端子は、Ｙ１側からＹ２側に向かって、相手方信号端子７３、相手方接地端子７１、相手方電源端子７２の順に並んでいる。これに伴い、図１９〜図２１に示すごとく、前方信号端子２３２、前方接地端子２１２、前方電源端子２２２は、Ｙ１側からＹ２側に向かって、この順に並んでいる。すなわち、本実施形態においては、実施形態１に対して、前方信号端子２３２と前方接地端子２１２とが入れ替わっている。
【００７６】
図２０に示すごとく、コネクタ側凹部２ａが形成された、接地端子２１１及び電源端子２２１の三つの端子のうち、Ｙ２側端部に配された端子は接地端子２１１である。そして、当該Ｙ２側端部の接地端子２１１にダイオード４のコネクタ側端部４１が接続されている。
【００７７】
そして、ダイオード４の端子体側端部４２は、コイル端子体３の二つの端子体側凹部３１、３２のうち、Ｙ２側の端子体側凹部３２に接続されている。本実施形態において、コイル端子体３は、実施形態１のものと同じである。
【００７８】
また、イグナイタ５の長尺端子５３が接続されるコネクタ２の端子は、Ｙ１側からＹ２側に向かって、中継端子２４１、信号端子２３１、接地端子２１１、電源端子２２１、の順に並んでいる。すなわち、実施形態１に対して、本実施形態においては、イグナイタ端子５２が接続される信号端子２３１と接地端子２１１との配列が入れ替わっている。
【００７９】
図２２に示すごとく、本実施形態において、イグナイタ５の長尺端子５３の配列は、Ｙ１側からＹ２側に向かって、中継イグナイタ端子５２４、信号イグナイタ端子５２３、接地イグナイタ端子５２１、電源イグナイタ端子５２２、の順に並んでいる。すなわち、実施形態１に対して、本実施形態の長尺端子５３の配列は、信号イグナイタ端子５２３と接地イグナイタ端子５２１との配列が入れ替わっている。
【００８０】
本実施形態において、複数のイグナイタ端子５２を屈曲、切断する前の状態のイグナイタ５は、実施形態１の図１７で示したものと同じものである。本実施形態においては、実施形態１に対して、長尺端子５３として選択するイグナイタ端子５２及び切断するイグナイタ端子５２を異ならせて、長尺端子５３の配列が上述の配列となるようにしている。
【００８１】
その他は、実施形態１と同様である。
なお、実施形態２以降において用いた符号のうち、既出の実施形態において用いた符号と同一のものは、特に示さない限り、既出の実施形態におけるものと同様の構成要素等を表す。
【００８２】
本実施形態においては、実施形態１に対して、コネクタ２の端子配列が変更されているが、実施形態１で示したコイル端子体３と同じコイル端子体３を用いて、ダイオード４と、接地端子２１１及びコイル端子体３とを接続することができることが分かる。すなわち、コイル端子体３におけるダイオード４の端子体側端部４２を接続する端子体側凹部３１、３２を実施形態１に示したものから変更するだけで、ダイオード４と、接地端子２１１及びコイル端子体３とを接続することができる。
【００８３】
また、本実施形態において、イグナイタ端子５２を屈曲、切断する前の状態のイグナイタ５は、実施形態１で示したものと同じものである。そして、イグナイタ端子５２を作製する際の、イグナイタ端子５２の屈曲の仕方、及び、切断するイグナイタ端子５２の選択、を実施形態１から変更している。すなわち、実施形態１に対してコネクタ２の端子配列が変更されても、イグナイタ端子５２を屈曲、切断する前の状態のイグナイタ５は、実施形態１と同じものを用いることができることが分かる。
その他、実施形態１と同様の作用効果を有する。
【００８４】
（実施形態３）
本実施形態は、実施形態２に対して、相手方コネクタ７における横方向Ｙの両端の端子の配列が入れ替わった実施形態である。すなわち、本実施形態においては、実施形態２において図１９で示した相手方コネクタ７において、相手方信号端子７３と相手方電源端子７２とが入れ替わった場合を想定している。
【００８５】
本実施形態の場合、仮に、図２３に示すごとく、コネクタ２の形状を何ら工夫しなかった場合、相手方コネクタ７に接続されるコネクタ２の端子配列も、前方信号端子２３２と前方電源端子２２２とが、実施形態２の図１９で示した配列から入れ替わる。これに伴い、コネクタ２の形状を何ら工夫しなかった場合は、電源端子２２１、信号端子２３１、接地端子２１１に接続されるダイオード４やイグナイタ５の配列、形状を、実施形態２に示したものから変更する必要がある。
【００８６】
そこで、本実施形態においては、図２４〜図２６に示すごとく、コネクタ２のロック部２０３の形成位置のみを実施形態２におけるものと変更している。すなわち、本実施形態においては、ロック部２０３を、筒状突出部２０２の下面から下側に突出するよう形成している。
【００８７】
こうすることにより、図２６に示すごとく、相手方コネクタ７は、図２３に示すようなコネクタ２に対する相手方コネクタ７の姿勢に対して、相手方コネクタ７とコネクタ２との組付方向に延びる軸を回転軸として１８０°回転させた状態で、コネクタ２に組み付けられることとなる。これにより、図２６に示すごとく、相手方コネクタ７がコネクタ２に取り付けられた姿勢における相手方コネクタ７の端子の配列は、実施形態２の図１９で示した配列と同じ配列に戻る。
【００８８】
以上のように、実施形態２に対して、相手方コネクタ７の横方向Ｙの両端の端子の配列が入れ替わった場合においても、ロック部２０３の形成位置のみを変更し、残りの部位は実施形態２に示した点火コイル１のままで対応できることとなる。
【００８９】
（実施形態４）
本実施形態は、図２７に示すごとく、実施形態２と同様、実施形態１に対して、相手方コネクタ７の端子配列が変更された実施形態である。すなわち、相手方コネクタ７がコネクタ２に接続される姿勢において、相手方コネクタ７の端子は、Ｙ１側からＹ２側に向かって、相手方接地端子７１、相手方電源端子７２、相手方信号端子７３、の順に並んでいる。
【００９０】
これに伴い、図２８に示すごとく、前方接地端子２１２、前方電源端子２２２、前方信号端子２３２は、Ｙ１側からＹ２側に向かって、この順に並んでいる。すなわち、本実施形態においては、実施形態１に対して、前方電源端子２２２と前方信号端子２３２とが入れ替わっている。なお、本実施形態においては、前方電源端子２２２が中央に配されている。
【００９１】
また、図示は省略するが、イグナイタ５の長尺端子５３が接続されるコネクタ２の端子は、Ｙ１側からＹ２側に向かって、接地端子２１１、電源端子２２１、信号端子２３１、中継端子２４１、の順に並んでいる。
【００９２】
図２９に示すごとく、本実施形態において、イグナイタ５の長尺端子５３の配列は、Ｙ１側からＹ２側に向かって、接地イグナイタ端子５２１、電源イグナイタ端子５２２、信号イグナイタ端子５２３、中継イグナイタ端子５２４、の順に並んでいる。
【００９３】
本実施形態においても、複数のイグナイタ端子５２を屈曲、切断する前の状態のイグナイタ５は、実施形態１と同じものである。本実施形態も、実施形態２と同様、実施形態１に対して、長尺端子５３として選択するイグナイタ端子５２及び切断するイグナイタ端子５２を異ならせて、長尺端子５３の配列が上述の配列となるようにしている。
その他は、実施形態１と同様である。また、本実施形態においても、実施形態１及び実施形態２と同様の作用効果を有する。
【００９４】
本発明は、上記各実施形態に限定されるものではなく、その要旨を逸脱しない範囲において種々の実施形態に適用することが可能である。
【００９５】
例えば、上記各実施形態において、コイル端子体は、板状のものを示したが、これに限られず、例えば線材にて構成することも可能である。この場合は、例えば、線材のコイル端子体の一部を、上側に向かって開口させた略Ｕ字状に形成することにより、端子体側凹部を構成することもできる。
【００９６】
また、上記各実施形態において、コイル端子体の端子体側凹部にダイオードの端子体側端部を圧入し、これによりコイル端子体とダイオードとを接続する構造としたが、これに限られない。例えば、コイル端子体の一部を上側に向かって突出させた突起部を設け、該突起部にダイオードの端子体側端部を重ね合わせて溶接することもできる。また、コイル端子体に上記突出部を設け、該突出部にダイオードの端子体側端部を絡げて、接続することも可能である。
【００９７】
また、上記各実施形態において、接続部材はダイオードとしたが、これに限られず、導電性を有する部材であればよい。例えば、接続部材を、導線とすることもできる。
【００９８】
また、接地イグナイタ端子、信号イグナイタ端子、電源イグナイタ端子、中継イグナイタ端子の配列は、同じ同電位端子群を構成するイグナイタ端子同士が、横方向において、当該同電位端子群に属さないイグナイタ端子を介して並んでいれば、上述のものに限られず、種々の態様が考えられる。
【００９９】
また、上記各実施形態において、接続部材は、コイル端子体と接地端子との間に接続した例を示したが、図３０に示すごとく、コイル端子体３と電源端子２２１との間に接続してもよい。このように設けるには、例えば、実施形態１の図２に示す点火コイル１において、接続部材としてのダイオード４を、Ｙ２側の端子体側凹部３２と、コネクタ側凹部２ａが形成された電源端子２２１とに接続するよう移動させて、図２に示す状態から図３０に示す状態に変えればよい。この場合の点火コイルの回路図は、実施形態１の図１１で示した回路図から、図３１に示す回路図のように変更される。上述のごとく、ダイオード４は、一次コイル１１への通電をオフ状態からオン状態に切り替えた際に、二次コイル１２に逆電流が誘導されることを抑制する役割を有している。そして、二次コイル１２の一端がダイオード４、電源端子２２１を介して、例えば１２Ｖ程度の比較的電圧の低い外部電源１１２に接続された場合においても、同じ役割を果たすことができる。
【符号の説明】
【０１００】
１  内燃機関用の点火コイル
２  コネクタ
２１１  接地端子
２２１  電源端子
２３１  信号端子
２４１  中継端子
３  コイル端子体
４  接続部材（ダイオード）
５  イグナイタ
５０１、５０２、５０３  同電位端子群
【図１】
2018006641.tif 000003
【図２】
2018006641.tif 000004
【図３】
2018006641.tif 000005
【図４】
2018006641.tif 000006
【図５】
2018006641.tif 000007
【図６】
2018006641.tif 000008
【図７】
2018006641.tif 000009
【図８】
2018006641.tif 000010
【図９】
2018006641.tif 000011
【図１０】
2018006641.tif 000012
【図１１】
2018006641.tif 000013
【図１２】
2018006641.tif 000014
【図１３】
2018006641.tif 000015
【図１４】
2018006641.tif 000016
【図１５】
2018006641.tif 000017
【図１６】
2018006641.tif 000018
【図１７】
2018006641.tif 000019
【図１８】
2018006641.tif 000020
【図１９】
2018006641.tif 000021
【図２０】
2018006641.tif 000022
【図２１】
2018006641.tif 000023
【図２２】
2018006641.tif 000024
【図２３】
2018006641.tif 000025
【図２４】
2018006641.tif 000026
【図２５】
2018006641.tif 000027
【図２６】
2018006641.tif 000028
【図２７】
2018006641.tif 000029
【図２８】
2018006641.tif 000030
【図２９】
2018006641.tif 000031
【図３０】
2018006641.tif 000032
【図３１】
2018006641.tif 000033